(57)【要約】【課題】既設の照明器具の支持ユニットに対して、取付けピッチが異なる光源本体を確実に取り付ける。【解決手段】光源ユニット１は、支持ユニット８が有する一対の支持側取付部８１に支持される。光源ユニット１は、一方向Ｄ１に長尺な光源本体１０と、一対の光源側取付部１１と、拡張構造１２を備える。一対の光源側取付部１１は、光源本体１０に、一対の支持側取付部８１のピッチＰ８よりも小さなピッチＰ１で設けられる。拡張構造１２は、一対の光源側取付部１１の少なくとも一方に取り付けられる。一対の光源側取付部１１の少なくとも一方が、拡張構造１２を介して、一対の支持側取付部８１のうち対応する支持側取付部８１に結合する。【選択図】図１
2020021574.tif 000002
【特許請求の範囲】
【請求項１】
一対の支持側取付部を有する支持ユニットの、前記一対の支持側取付部に支持される光源ユニットであって、
一方向に長尺な光源本体と、
前記光源本体に、前記一対の支持側取付部のピッチよりも小さなピッチで設けられた一対の光源側取付部と、
前記一対の光源側取付部の少なくとも一方に取り付けられた拡張構造と、を備え、
前記一対の光源側取付部の少なくとも一方が、前記拡張構造を介して、前記一対の支持側取付部のうち対応する支持側取付部に結合するように設けられている
光源ユニット。
【請求項２】
前記拡張構造は、一つの拡張具を含み、
前記一つの拡張具は、
前記一対の光源側取付部の一つに結合する部分と、
前記一対の支持側取付部の一つに結合する部分と、を有する
請求項１の光源ユニット。
【請求項３】
前記拡張構造は、第一拡張具と第二拡張具を含み、
前記第一拡張具は、
前記一対の光源側取付部の一つに結合する部分と、
前記一対の支持側取付部の一つに結合する部分と、を有し、
前記第二拡張具は、
前記一対の光源側取付部の別の一つに結合する部分と、
前記一対の支持側取付部の別の一つに結合する部分と、を有する
請求項１の光源ユニット。
【請求項４】
前記拡張構造は、前記第一拡張具と前記第二拡張具を一体につなぐ連結部を、更に含む
請求項３の光源ユニット。
【請求項５】
前記拡張構造は、前記光源本体に引っ掛かる爪部を含む
請求項１から４のいずれか一項の光源ユニット。
【請求項６】
前記拡張構造は、前記一方向に長く形成された貫通孔を有し、
前記拡張構造は、前記貫通孔に挿通したねじ具によって、前記支持ユニットに結合する
請求項１から５のいずれか一項の光源ユニット。
【請求項７】
前記拡張構造は、前記一方向に長く形成された貫通孔と、前記貫通孔に挿通されたねじ具と、を有し、
前記拡張構造は、前記ねじ具によって前記光源本体に取り付けられている
請求項１から５のいずれか一項の光源ユニット。
【請求項８】
前記拡張構造を隠すために前記支持ユニットの端部に装着される化粧カバーを、更に備える
請求項１から７のいずれか一項の光源ユニット。
【請求項９】
請求項１から８のいずれか一項の光源ユニットと、
前記一対の支持側取付部を有する前記支持ユニットと、を備える
照明器具。
【請求項１０】
一対の支持側取付部を有する支持ユニットと、一対の光源側取付部を有する光源ユニットと、の間に介在される拡張構造であって、
一つの拡張具を含み、
前記一つの拡張具は、
前記一対の光源側取付部の一つに結合する部分と、
前記一対の支持側取付部の一つに結合する部分と、を有する
照明器具用の拡張構造。
【請求項１１】
一対の支持側取付部を有する支持ユニットと、一対の光源側取付部を有する光源ユニットと、の間に介在される拡張構造であって、
第一拡張具と第二拡張具を含み、
前記第一拡張具は、
前記一対の光源側取付部の一つに結合する部分と、
前記一対の支持側取付部の一つに結合する部分と、を有し、
前記第二拡張具は、
前記一対の光源側取付部の別の一つに結合する部分と、
前記一対の支持側取付部の別の一つに結合する部分と、を有する
照明器具用の拡張構造。
【発明の詳細な説明】
【技術分野】
【０００１】
本発明は、光源ユニット、照明器具、及び照明器具用の拡張構造に関する。
【背景技術】
【０００２】
特許文献１には、既設の蛍光灯取付け装置に、直管型ＬＥＤ灯を取り付ける技術が記載されている。
【０００３】
この技術では、既設の蛍光灯取付装置から、まず直管型蛍光灯とソケットを取り外し、その後に専用の連結治具を取り付け、この連結治具に対して直管型ＬＥＤ灯を取り付ける。
【先行技術文献】
【特許文献】
【０００４】
【特許文献１】特開２０１１−４９１４３号公報
【発明の概要】
【発明が解決しようとする課題】
【０００５】
上記した従来の技術では、既設の蛍光灯取付装置から直管型蛍光灯を取り外し、これの代わりに直管型ＬＥＤ灯を取り付ける。直管型ＬＥＤ灯の取付けピッチは、既設の直管型蛍光灯の取付けピッチに合わせて設定されている。
【０００６】
本発明は、既設の照明器具の支持ユニットに対して、取付けピッチが異なる光源本体を確実に取り付けるための技術を提案することを、目的とする。
【課題を解決するための手段】
【０００７】
一態様に係る光源ユニットは、一対の支持側取付部を有する支持ユニットの、前記一対の支持側取付部に支持される光源ユニットであって、一方向に長尺な光源本体と、前記光源本体に、前記一対の支持側取付部のピッチよりも小さなピッチで設けられた一対の光源側取付部と、前記一対の光源側取付部の少なくとも一方に取り付けられた拡張構造と、を備える。前記一対の光源側取付部の少なくとも一方が、前記拡張構造を介して、前記一対の支持側取付部のうち対応する支持側取付部に結合する。
【０００８】
一態様に係る照明器具は、前記光源ユニットと、前記一対の支持側取付部を有する前記支持ユニットと、を備える。
【０００９】
一態様に係る照明器具用の拡張構造は、一対の支持側取付部を有する支持ユニットと、一対の光源側取付部を有する光源ユニットと、の間に介在される拡張構造であって、一つの拡張具を含む。前記一つの拡張具は、前記一対の光源側取付部の一つに結合する部分と、前記一対の支持側取付部の一つに結合する部分と、を有する。
【００１０】
別の態様に係る照明器具用の拡張構造は、一対の支持側取付部を有する支持ユニットと、一対の光源側取付部を有する光源ユニットと、の間に介在される拡張構造であって、第一拡張具と第二拡張具を含む。前記第一拡張具は、前記一対の光源側取付部の一つに結合する部分と、前記一対の支持側取付部の一つに結合する部分と、を有する。前記第二拡張具は、前記一対の光源側取付部の別の一つに結合する部分と、前記一対の支持側取付部の別の一つに結合する部分と、を有する。
【発明の効果】
【００１１】
本発明は、既設の照明器具の支持ユニットに対して、取付けピッチが異なる光源本体を確実に取り付けることができるという効果を奏する。
【図面の簡単な説明】
【００１２】
【図１】図１は、一実施形態の照明器具を概略的に示す断面図である。
【図２】図２は、同上の照明器具の要部を示す断面図である。
【図３】図３は、同上の照明器具の別の要部を示す断面図である。
【図４】図４は、同上の照明器具が備える拡張具の斜視図である。
【図５】図５は、同上の照明器具が備える支持ユニットの斜視図である。
【図６】図６は、同上の照明器具の変形例１を概略的に示す断面図である。
【図７】図７Ａは、同上の照明器具の変形例１が備える第一拡張具の斜視図であり、図７Ｂは、同上の照明器具の変形例１が備える第二拡張具の斜視図である。
【図８】図８は、同上の照明器具の変形例２を概略的に示す断面図である。
【図９】図９は、同上の照明器具の変形例２が備える拡張具の斜視図である。
【図１０】図１０は、同上の照明器具の変形例３の要部を示す断面図である。
【図１１】図１１は、同上の照明器具の変形例４の要部を示す断面図である。
【図１２】図１２は、同上の照明器具の変形例５が備える第一拡張具の斜視図である。
【図１３】図１３は、同上の照明器具の変形例６が備える第一拡張具の斜視図である。
【図１４】図１４Ａは、同上の照明器具の変形例７の要部を示す断面図であり、図１４Ｂは、同上の照明器具の変形例７が備える化粧カバーの斜視図である。
【図１５】図１５は、同上の照明器具の変形例８の要部を示す断面図である。
【図１６】図１６は、同上の照明器具の変形例９の要部を示す断面図である。
【発明を実施するための形態】
【００１３】
（一実施形態）
図１から図５に基づいて、一実施形態の照明器具９について説明する。
【００１４】
図１に示すように、一実施形態の照明器具９は、光源ユニット１と、これを着脱自在に支持する支持ユニット８を備える。支持ユニット８は、例えば、屋側などの風雨に曝される場所に直付けされる。
【００１５】
支持ユニット８は、板金に曲げ加工を施すことで、凹部８２を有する長尺な角筒状に形成されている（図５等参照）。凹部８２は、光源ユニット１を収容することができる長尺の凹部である。凹部８２に光源ユニット１を装着した状態において、支持ユニット８の長手方向は、光源ユニット１の長手方向（一方向Ｄ１）と一致する。
【００１６】
支持ユニット８の長手方向の両端には、一対の突片８３が設けられている。一対の突片８３は、支持ユニット８の長手方向に沿って互いに近づく向きに突出している。
【００１７】
一対の突片８３には、それぞれねじ孔８４が貫通形成されている。支持ユニット８の長手方向の両端に位置する一対のねじ孔８４が、光源ユニット１を支持ユニット８に取り付けるための一対の支持側取付部８１を構成する。
【００１８】
一対のねじ孔８４（すなわち一対の支持側取付部８１）は、長手方向に所定のピッチＰ８をあけて位置する。ピッチＰ８は、換言すると支持ユニット８の側の取付けピッチである。
【００１９】
光源ユニット１は、図１に示すように、一方向Ｄ１に長尺である棒状の光源本体１０と、光源本体１０の一方向Ｄ１の端部に取り付けられた拡張構造１２を備える。
【００２０】
光源本体１０は、いわゆる直管型のＬＥＤランプである。光源本体１０は、複数のＬＥＤ（発光ダイオード）が一方向Ｄ１に並ぶように実装されたＬＥＤモジュール１０１と、ＬＥＤモジュール１０１に電力を供給する電源装置１０２と、防水ケース１０４を備える。
【００２１】
防水ケース１０４は、一方向Ｄ１に長尺なケース本体１０５と、一対のエンド部材１０６を含む。ケース本体１０５は、透光性を有する合成樹脂材料（アクリル樹脂、ポリカーボネート樹脂等）によって、両端が開口した筒状に形成されている。ケース本体１０５の内部にはＬＥＤモジュール１０１が収納される。
【００２２】
一対のエンド部材１０６は、それぞれ合成樹脂材料を用いて形成されている。エンド部材１０６は、ケース本体１０５の端部開口を塞ぐように、ケース本体１０５の端部に取り付けられる。
【００２３】
更に光源本体１０は、一対の取付具１０７を備える。
【００２４】
一対の取付具１０７は、それぞれ金属板に曲げ加工を施すことでクランク状に形成されている。
【００２５】
取付具１０７は、ケース本体１０５の端部に固定される固定片１０７１と、エンド部材１０６に固定される取付片１０７５と、固定片１０７１と取付片１０７５をつなぐ中間片１０７３を、一体に有する（図２、図３等参照）。
【００２６】
固定片１０７１は、中間片１０７３の一端部からＬ型に曲がった形状を有し、取付片１０７５は、中間片１０７３の他端部から固定片１０７１とは逆側に向けてＬ型に曲がった形状を有する。
【００２７】
取付具１０７は、ねじ具１０８の雄ねじ部分１０８２が挿通可能な貫通孔１０７６を有する。貫通孔１０７６は、取付片１０７５を、一方向Ｄ１と直交する方向に貫通するように形成されている。
【００２８】
エンド部材１０６は、内部空間１０６１と、内部空間１０６１に連通する開口１０６３を有する。開口１０６３は、ねじ具１０８を内部空間１０６１に挿し入れることのできる開口である。内部空間１０６１に挿し入れたねじ具１０８の雄ねじ部分１０８２は、取付具１０７の貫通孔１０７６を通じて外側に突出する。
【００２９】
一実施形態では、一対の取付具１０７に挿通される一対のねじ具１０８が、光源ユニット１を支持ユニット８に取り付けるための一対の光源側取付部１１を構成する。雄ねじ部分１０８２は、支持ユニット８が有するねじ孔８４に対して、結合可能である。
【００３０】
一対のねじ具１０８（すなわち一対の光源側取付部１１）は、一方向Ｄ１に所定のピッチＰ１をあけて位置する。両側のねじ具１０８間のピッチＰ１は、両側の取付具１０７の貫通孔１０７６間のピッチと一致する。ピッチＰ１は、換言すると光源本体１０の側の取付けピッチである。
【００３１】
ピッチＰ１は、一対のねじ孔８４間のピッチＰ８よりも小さい（図１参照）。ピッチＰ１とピッチＰ８の差は、例えば８０ｍｍ程度である。光源本体１０と支持ユニット８では、取付けピッチが互いに相違している。
【００３２】
拡張構造１２は、光源本体１０を、これとは取付けピッチが異なる支持ユニット８に取り付けるための構造である。拡張構造１２は、図４等に示す拡張具２を用いて構成されている。
【００３３】
拡張具２は、ねじ具１０８に結合し、かつ、支持ユニット８のねじ孔８４に対してねじ具４を介して結合するように構成されている。
【００３４】
拡張具２は、金属板に曲げ加工を施すことでクランク状に形成されている。
【００３５】
拡張具２は、ケース本体１０５の端部に固定される第一片部２１と、エンド部材１０６に固定される第二片部２２と、第一片部２１と第二片部２２をつなぐ第三片部２３を、一体に有する。
【００３６】
第一片部２１は、第三片部２３の一端部からＬ型に曲がった形状を有し、第二片部２２は、第三片部２３の他端部から第一片部２１とは逆側に向けてＬ型に曲がった形状を有する。第二片部２２は、一方向Ｄ１に伸びるように形成されている。
【００３７】
第一片部２１は、固着具３１を挿通可能な貫通孔２１１を有する。固着具３１のねじ部分３１２は、拡張具２が有する貫通孔２１１と、取付具１０７が固定片１０７１に有する貫通孔１０７７を通じて、光源本体１０に挿入され、光源本体１０に固着される。
【００３８】
第二片部２２は、貫通孔２２１と、貫通孔２２１から第一方向Ｄ１に所定距離をあけて位置する別の貫通孔２２５を有する。貫通孔２２１と貫通孔２２５は、ともに丸孔である。
【００３９】
貫通孔２２１には、取付具１０７の貫通孔１０７６を通じて外側に突出した雄ねじ部分１０８２が、挿通される。貫通孔２２１を通じて外側に突出した雄ねじ部分１０８２に、ナット３５が締結されることにより、第二片部２２の端部がエンド部材１０６に固定される。
【００４０】
図１に示すように、貫通孔２２５には、ねじ具４の雄ねじ部分４２が挿通される。貫通孔２２５に挿通された雄ねじ部分４２が、支持ユニット８のねじ孔８４に結合することで、第二片部２２が支持ユニット８に固定される。
【００４１】
これにより、光源ユニット１の一方向Ｄ１の第一端部（すなわち拡張具２の端部）は、支持ユニット８に対して着脱自在に固定される。
【００４２】
光源ユニット１の一方向Ｄ１の第二端部（すなわち拡張具２が固定されない側のエンド部材１０６）は、ここに挿入したねじ具１０８によって、支持ユニット８に対して着脱自在に固定される（図１参照）。
【００４３】
具体的には、エンド部材１０６に挿入したねじ具１０８の雄ねじ部分１０８２が、取付具１０７の貫通孔１０７６を通じて外側に突出する。この雄ねじ部分１０８２を支持ユニット８のねじ孔８４に結合させることで、エンド部材１０６を支持ユニット８に固定することができる。
【００４４】
以上のように、一実施形態の照明器具９においては、拡張具２が、光源本体１０の一対のねじ具１０８の一つに結合する部分２４と、支持ユニット８の一対のねじ孔８４の一つに結合する部分２５を有する（図２参照）。部分２４は、第二片部２２に形成された貫通孔２２１である。部分２５は、第二片部２２に形成された貫通孔２２５である。貫通孔２２５は、ここに挿通されたねじ具４を介してねじ孔８４と結合する。
【００４５】
一実施形態においては、例えば、既設の支持ユニット８に対して、これとは取付けピッチが異なる光源本体１０を、拡張具２を含んだ拡張構造１２を介して、確実に取り付けることが可能である。
【００４６】
次に、一実施形態の照明器具９の各種の変形例について順に説明する。なお、各種の変形例の構成のうち、上述した構成と同様の構成については、同一符号を付して詳しい説明を省略する。
【００４７】
（変形例１）
図６、図７Ａ及び図７Ｂには、照明器具９の変形例１を示している。
【００４８】
変形例１において、拡張構造１２は、第一拡張具２Ａと第二拡張具２Ｂを用いて構成されている。
【００４９】
第一拡張具２Ａは、一実施形態の拡張具２と同様の第一片部２１、第二片部２２及び第三片部２３を一体に有し、かつ拡張具２と同様の貫通孔２１１，２２１，２２５を有している。但し、上記の拡張具２と比較して、第二片部２２の一方向Ｄ１の寸法が短く、貫通孔２２１と貫通孔２２５の距離が短い点で、相違している。
【００５０】
第一拡張具２Ａは、光源本体１０に取り付けた一対のねじ具１０８（つまり一対の光源側取付部１１）の一つに結合する部分２４Ａと、支持ユニット８が有する一対のねじ孔８４（つまり一対の支持側取付部８１）の一つに結合する部分２５Ａを有する。部分２４Ａは、第二片部２２に形成された貫通孔２２１である。部分２５Ａは、第二片部２２に形成された貫通孔２２５である。貫通孔２２５は、挿通されたねじ具４を介してねじ孔８４と結合する。
【００５１】
第二拡張具２Ｂの構成は、第一拡張具２Ａと同様である。つまり、第二拡張具２Ｂは、一実施形態の拡張具２と同様の第一片部２１、第二片部２２及び第三片部２３を一体に有し、かつ拡張具２と同様の貫通孔２１１，２２１，２２５を有している。但し、上記の拡張具２と比較して、第二片部２２の一方向Ｄ１の寸法が短く、貫通孔２２１と貫通孔２２５の距離が短い。
【００５２】
第二拡張具２Ｂは、光源本体１０に取り付けた一対のねじ具１０８（一対の光源側取付部１１）の別の一つに結合する部分２４Ｂと、支持ユニット８が有する一対のねじ孔８４（一対の支持側取付部８１）の別の一つに結合する部分２５Ｂを有する。部分２４Ｂは、第二拡張具２Ｂの第二片部２２に形成された貫通孔２２１である。部分２５Ｂは、第二拡張具２Ｂの第二片部２２に形成された貫通孔２２５である。貫通孔２２５は、挿通されたねじ具４を介してねじ孔８４と結合する。
【００５３】
変形例１においては、例えば、既設の支持ユニット８に対して、これとは取付けピッチが異なる光源本体１０を、第一拡張具２Ａと第二拡張具２Ｂを介して確実に取り付けることが可能である。しかも、変形例１においては、支持ユニット８に対する光源本体１０の位置が、一方向Ｄ１の片側に寄ってしまうことが抑えられる。一方向Ｄ１において支持ユニット８と光源本体１０の中心を一致させることも可能である。
【００５４】
（変形例２）
図８、図９には、照明器具９の変形例２を示している。変形例２は、変形例１の更なる変形例である。
【００５５】
変形例２において、拡張構造１２は、第一拡張具２Ａと第二拡張具２Ｂを一体につなぐ連結部２Ｃを、更に備えている。
【００５６】
言い換えると、変形例２における拡張構造１２は、第一拡張具２Ａと第二拡張具２Ｂと連結部２Ｃを一体に含んだ拡張具２Ｌを用いて、構成されている。
【００５７】
拡張具２Ｌは、金属板に曲げ加工を施すことで、一方向Ｄ１に長尺の外形を有するように形成される。拡張具２Ｌの一方向Ｄ１の第一端部が第一拡張具２Ａを構成し、拡張具２Ｌの一方向Ｄ１の第二端部が第二拡張具２Ｂを構成する。変形例２においては、拡張構造１２の強度が高められ、屋外などに照明器具９を設置した場合でも、風や振動の影響を受け難くなる。
【００５８】
図９に示すように、拡張具２Ｌは、光源本体１０の両側方を覆うように連結部２Ｃから延長された一対の補強片２６を、更に有する。一対の補強片２６は、一方向Ｄ１と直交する方向に距離をあけて、互いに平行に位置する。拡張具２Ｌが一対の補強片２６を有することで、照明器具９が更に補強され、また、雨水の浸入が抑えられる。
【００５９】
更に拡張具２Ｌは、一対の補強片２６の先端縁から互いに離れる方向に延長された一対のフランジ２７を有する。一対のフランジ２７は、支持ユニット８に当たることが好ましい。拡張具２Ｌが一対のフランジ２７を有することで、照明器具９が更に補強され、また、雨水の浸入が更に抑えられる。
【００６０】
（変形例３）
図１０には、照明器具９の変形例３の要部を示している。変形例３は、変形例１の更なる変形例である。
【００６１】
変形例３において、第一拡張具２Ａは、光源本体１０に引っ掛かる爪部５を備えている。光源本体１０は、爪部５が引っ掛かる凹部１０７２を有する。変形例３では、凹部１０７２が、取付具１０７の固定片１０７１と一体に形成されている。
【００６２】
図示を省略しているが、第二拡張具２Ｂも同様の構造（爪部５等の構造）を備えることが好ましい。また、一実施形態の拡張具２が同様の構造を備えることも好ましい。
【００６３】
（変形例４）
図１１には、照明器具９の変形例４の要部を示している。変形例４は、変形例３の更なる変形例である。
【００６４】
変形例４において、第一拡張具２Ａは、光源本体１０に引っ掛かる二つの爪部５１，５２を備えている。光源本体１０は、爪部５１が引っ掛かる凹部１０７４と、爪部５２が引っ掛かる凹部１０７８を、互いに距離を隔てた箇所に有する。変形例４では、凹部１０７４が取付具１０７に形成され、凹部１０７８がエンド部材１０６に形成されている。
【００６５】
図示を省略しているが、第二拡張具２Ｂも同様の構造（爪部５１，５２等の構造）を備えることが好ましい。また、一実施形態の拡張具２が同様の構造を備えることも好ましい。
【００６６】
（変形例５）
図１２には、照明器具９の変形例５の要部を示している。変形例５は、変形例１の更なる変形例である。
【００６７】
変形例５では、第一拡張具２Ａが有する貫通孔２１１，２２１，２２５のうち、ねじ具４が挿通される貫通孔２２５が、一方向Ｄ１に長く形成された長孔である。第一拡張具２Ａは、ねじ具４によって支持ユニット８に結合する。
【００６８】
変形例５では、温度変化に伴う膨張収縮により、光源ユニット１と支持ユニット８に一方向Ｄ１の寸法変化が生じても、貫通孔２２５内をねじ具４が相対移動することで、寸法変化に起因する不具合の発生が抑えられる。
【００６９】
図示を省略しているが、第二拡張具２Ｂも同様の構造を備えることが好ましい。また、一実施形態の拡張具２が同様の構造を備えることも好ましい。
【００７０】
（変形例６）
図１３には、照明器具９の変形例６の要部を示している。変形例６は、変形例１の更なる変形例である。
【００７１】
変形例６において、第一拡張具２Ａは貫通孔２１１を有さない。第一拡張具２Ａが有する貫通孔２２１，２２５のうち、ねじ具１０８が挿通される貫通孔２２１は、一方向Ｄ１に長く形成された長孔である。第一拡張具２Ａは、ねじ具１０８によって光源本体１０に結合する。
【００７２】
変形例６では、温度変化に伴う膨張収縮により、光源ユニット１と支持ユニット８に一方向Ｄ１の寸法変化が生じても、貫通孔２２１内をねじ具１０８が相対移動することで、寸法変化に起因する不具合の発生が抑えられる。
【００７３】
図示を省略しているが、第二拡張具２Ｂも同様の構造を備えることが好ましい。また、一実施形態の拡張具２が同様の構造を備えることも好ましい。
【００７４】
（変形例７）
図１４Ａ、図１４Ｂには、照明器具９の変形例７の要部を示している。変形例７は、変形例１の更なる変形例である。
【００７５】
変形例７において、照明器具９は、拡張構造１２（第一拡張具２Ａ）を外部から視認し難くするための化粧カバー７を、更に備える。化粧カバー７は、半円筒状の外形を有する樹脂成形品であり、支持ユニット８の端部に引っ掛かる複数の爪７１を有する。
【００７６】
複数の爪７１は、弾性を有する三つの爪７１である。三つの爪７１が支持ユニット８の端部に弾性的に引っ掛かることで、化粧カバー７は、第一拡張具２Ａの少なくとも第二片部２２と、第一拡張具２Ａが結合するエンド部材１０６と、第一拡張具２Ａが結合する光源本体１０の端部を、覆い隠すように機能する。化粧カバー７が支持ユニット８に装着された状態で、化粧カバー７の一方向Ｄ１の端面は、支持ユニット８の一方向Ｄ１の端面と面一になることが好ましい。
【００７７】
図示を省略しているが、照明器具９は、第二拡張具２Ｂを外部から視認し難くする同様の化粧カバー７を備えることが好ましい。また、一実施形態において、拡張具２を外部から視認し難くする同様の化粧カバー７を備えることも好ましい。
【００７８】
（変形例８）
図１５には、照明器具９の変形例８の要部を示している。変形例８は、変形例７の更なる変形例である。
【００７９】
変形例８において、化粧カバー７は、変形例７の場合よりも一方向Ｄ１に短く形成されている。化粧カバー７は、第一拡張具２Ａの第二片部２２のうちエンド部材１０６から一方向Ｄ１に突出した部分と、第一拡張具２Ａが結合するエンド部材１０６の少なくとも一部（変形例８ではエンド部材１０６の端部）を、覆い隠すように機能する。
【００８０】
図示を省略しているが、照明器具９は、第二拡張具２Ｂが位置する側に同様の化粧カバー７を備えることが好ましい。また、一実施形態において、拡張具２を外部から視認し難くする同様の化粧カバー７を備えることも好ましい。
【００８１】
（変形例９）
図１６には、照明器具９の変形例９の要部を示している。変形例９は、変形例１の更なる変形例である。
【００８２】
変形例９において、第一拡張具２Ａは、光源本体１０のエンド部材１０６と同様の構造を有する樹脂成形品である。第一拡張具２Ａは、エンド部材１０６と同様の外形を有し、かつ、エンド部材１０６の内部空間１０６１と同様の形状の内部空間２８１と、エンド部材１０６の開口６３と同様の形状の開口２８３を有する。
【００８３】
第一拡張具２Ａをエンド部材１０６に固定するために、適宜の手段を用いることが可能である。一例として、第一拡張具２Ａに金具を一体に設け、該金具の一部をかしめてエンド部材１０６に引っ掛けることで、エンド部材１０６と第一拡張具２Ａを固定することが可能である。また、第一拡張具２Ａに金具を一体に設け、該金具と取付具１０７を結合させることで、エンド部材１０６と第一拡張具２Ａを固定することが可能である。
【００８４】
変形例９では、第一拡張具２Ａがエンド部材６と同様の構造を有するので、外観上において違和感を生じることが抑えられる。
【００８５】
図示を省略しているが、第二拡張具２Ｂも同様の構造を備えることが好ましい。また、一実施形態の拡張具２が同様の構造を備えることも好ましい。
【００８６】
（態様）
上記した実施形態及びこれの各種変形例から理解されるように、第１の態様の光源ユニット（１）は、以下の構成を備える。
【００８７】
第１の態様の光源ユニット（１）は、一対の支持側取付部（８１）を有する支持ユニット（８）の、一対の支持側取付部（８１）に支持される光源ユニット（１）である。第１の態様の光源ユニット（１）は、一方向（Ｄ１）に長尺な光源本体（１０）と、一対の光源側取付部（１１）と、拡張構造（１２）を備える。一対の光源側取付部（１１）は、光源本体（１０）に、一対の支持側取付部（８１）のピッチ（Ｐ８）よりも小さなピッチ（Ｐ１）で設けられている。拡張構造（１２）は、一対の光源側取付部（１１）の少なくとも一方に取り付けられている。一対の光源側取付部（１１）の少なくとも一方が、拡張構造（１２）を介して、一対の支持側取付部（８１）のうち対応する支持側取付部（８１）に結合する。
【００８８】
第１の態様の光源ユニット（１）によれば、支持ユニット（８）に対して、これとは取付けピッチが異なる光源本体（１０）を、拡張構造（１２）を介して確実に取り付けることができる。したがって、既設の支持ユニット（８）に対して、この支持ユニット（８）用の光源本体とは寸法形状が異なる光源本体（１０）を、確実に取り付けることが可能である。
【００８９】
第２の態様の光源ユニット（１）は、第１の態様との組み合わせにより実現される。第２の態様の光源ユニット（１）において、拡張構造（１２）は、一つの拡張具（２）を含む。一つの拡張具（２）は、一対の光源側取付部（１１）の一つに結合する部分（２４）と、一対の支持側取付部（８１）の一つに結合する部分（２５）を有する。
【００９０】
第２の態様の光源ユニット（１）によれば、一つの拡張具（２）を用いたシンプルな構造で、支持ユニット（８）に対して、これとは取付けピッチが異なる光源本体（１０）を、確実に取り付けることができる。したがって、既設の支持ユニット（８）に対して、この支持ユニット（８）用の光源本体とは寸法形状が異なる光源本体（１０）を、シンプルな構造で確実に取り付けることが可能である。
【００９１】
第３の態様の光源ユニット（１）は、第１の態様との組み合わせにより実現される。第３の態様の光源ユニット（１）において、拡張構造（１２）は、第一拡張具（２Ａ）と第二拡張具（２Ｂ）を含む。第一拡張具（２Ａ）は、一対の光源側取付部（１１）の一つに結合する部分（２４Ａ）と、一対の支持側取付部（８１）の一つに結合する部分（２５Ａ）を有する。第二拡張具（２Ｂ）は、一対の光源側取付部（１１）の別の一つに結合する部分（２４Ｂ）と、一対の支持側取付部（８１）の別の一つに結合する部分（２５Ｂ）を有する。
【００９２】
第３の態様の光源ユニット（１）によれば、第一拡張具（２Ａ）と第二拡張具（２Ｂ）を用いたシンプルな構造で、支持ユニット（８）に対して、これとは取付けピッチが異なる光源本体（１０）を、確実に取り付けることができる。したがって、既設の支持ユニット（８）に対して、この支持ユニット（８）用の光源本体とは寸法形状が異なる光源本体（１０）を、シンプルな構造で確実に取り付けることが可能である。しかも、第一拡張具（２Ａ）と第二拡張具（２Ｂ）を用いるので、支持ユニット（８）に対する光源本体（１０）の位置が、一方向（Ｄ１）の片側に寄ってしまうことが抑えられる。
【００９３】
第４の態様の光源ユニット（１）は、第３の態様との組み合わせにより実現される。第４の態様の光源ユニット（１）において、拡張構造（１２）は、第一拡張具（２Ａ）と第二拡張具（２Ｂ）を一体につなぐ連結部（２Ｃ）を更に含む。
【００９４】
第４の態様の光源ユニット（１）によれば、第一拡張具（２Ａ）と第二拡張具（２Ｂ）が一体であることから、組み立ての手間が軽減される。また、光源ユニット（１）の全体の強度が高められる。
【００９５】
第５の態様の光源ユニット（１）は、第１から第４のいずれか一つの態様との組み合わせにより実現される。第５の態様の光源ユニット（１）において、拡張構造（１２）は、光源本体（１０）に引っ掛かる爪部（５，５１，５２）を含む。
【００９６】
第５の態様の光源ユニット（１）によれば、拡張構造（１２）を光源本体（１０）に取り付ける作業を、施工現場等において簡単に行うことができる。
【００９７】
第６の態様の光源ユニット（１）は、第１から第５のいずれか一つの態様との組み合わせにより実現される。第６の態様の光源ユニット（１）において、拡張構造（１２）は、一方向（Ｄ１）に長く形成された貫通孔（２２５）を有する。拡張構造（１２）は、貫通孔（２２５）に挿通したねじ具（４）によって、支持ユニット（８）に結合する。
【００９８】
第６の態様の光源ユニット（１）によれば、温度変化に伴う膨張収縮により、光源ユニット（１）と支持ユニット（８）に一方向（Ｄ１）の寸法変化が生じても、貫通孔（２２５）内をねじ具（４）が相対移動することで、不具合の発生が抑えられる。
【００９９】
第７の態様の光源ユニット（１）は、第１から第５のいずれか一つの態様との組み合わせにより実現される。第７の態様の光源ユニット（１）において、拡張構造（１２）は、一方向（Ｄ１）に長く形成された貫通孔（２２１）と、貫通孔（２２１）に挿通されたねじ具（１０８）を有する。拡張構造（１２）は、ねじ具（１０８）によって光源本体（１０）に取り付けられている。
【０１００】
第７の態様の光源ユニット（１）によれば、温度変化に伴う膨張収縮により、光源ユニット（１）と支持ユニット（８）に一方向（Ｄ１）の寸法変化が生じても、貫通孔（２２１）内をねじ具（１０８）が相対移動することで、不具合の発生が抑えられる。
【０１０１】
第８の態様の光源ユニット（１）は、第１から第７のいずれか一つの態様との組み合わせにより実現される。第８の態様の光源ユニット（１）は、拡張構造（１２）を隠すために支持ユニット（８）の端部に装着される化粧カバー（７）を更に備える。
【０１０２】
第８の態様の光源ユニット（１）によれば、拡張構造（１２）の露出により違和感を与えることを、化粧カバー（７）で抑制することができる。
【０１０３】
第１の態様の照明器具（９）は、第１から第８のいずれか一つの態様の光源ユニット（１）と、一対の支持側取付部（８１）を有する支持ユニット（８）を備える。
【０１０４】
第１の態様の照明器具（９）によれば、既設の支持ユニット（８）に対して、これとは取付けピッチが異なる光源本体（１０）を取り付け、照明器具（９）を構成することが可能である。
【０１０５】
また、上記した実施形態及びこれの各種変形例から理解されるように、第１の態様の照明器具用の拡張構造（１２）は、以下の構成を備える。
【０１０６】
第１の態様の照明器具用の拡張構造（１２）は、一対の支持側取付部（８１）を有する支持ユニット（８）と、一対の光源側取付部（１１）を有する光源ユニット（１）との間に介在される拡張構造であって、一つの拡張具（２）を含む。一つの拡張具（２）は、一対の光源側取付部（１１）の一つに結合する部分（２４）と、一対の支持側取付部（８１）の一つに結合する部分（２５）を有する。
【０１０７】
第１の態様の照明器具用の拡張構造（１２）によれば、一つの拡張具（２）を用いたシンプルな構造で、支持ユニット（８）に対して、これとは取付けピッチが異なる光源本体（１０）を、確実に取り付けることができる。したがって、既設の支持ユニット（８）に対して、この支持ユニット（８）用の光源本体とは寸法形状が異なる光源本体（１０）を、シンプルな構造で確実に取り付けることが可能である。
【０１０８】
また、上記した実施形態及びこれの各種変形例から理解されるように、第２の態様の照明器具用の拡張構造（１２）は、以下の構成を備える。
【０１０９】
第２の態様の照明器具用の拡張構造（１２）は、一対の支持側取付部（８１）を有する支持ユニット（８）と、一対の光源側取付部（１１）を有する光源ユニット（１）との間に介在される拡張構造であって、第一拡張具（２Ａ）と第二拡張具（２Ｂ）を含む。第一拡張具（２Ａ）は、一対の光源側取付部（１１）の一つに結合する部分（２４Ａ）と、一対の支持側取付部（８１）の一つに結合する部分（２５Ａ）を有する。第二拡張具（２Ｂ）は、一対の光源側取付部（１１）の別の一つに結合する部分（２４Ｂ）と、一対の支持側取付部（８１）の別の一つに結合する部分（２５Ｂ）を有する。
【０１１０】
第２の態様の照明器具用の拡張構造（１２）によれば、第一拡張具（２Ａ）と第二拡張具（２Ｂ）を用いたシンプルな構造で、支持ユニット（８）に対して、これとは取付けピッチが異なる光源本体（１０）を、確実に取り付けることができる。したがって、既設の支持ユニット（８）に対して、この支持ユニット（８）用の光源本体とは寸法形状が異なる光源本体（１０）を、シンプルな構造で確実に取り付けることが可能である。しかも、支持ユニット（８）に対する光源本体（１０）の位置が、一方向（Ｄ１）の片側に寄ってしまうことが抑えられる。
【符号の説明】
【０１１１】
１  光源ユニット
１０  光源本体
１０８  ねじ具
１１  光源側取付部
１２  拡張構造
２  拡張具
２Ａ  第一拡張具
２Ｂ  第二拡張具
２Ｃ  連結部
２２１  貫通孔
２２５  貫通孔
２４  部分
２５  部分
４  ねじ具
５  爪部
５１  爪部
５２  爪部
７  化粧カバー
８  支持ユニット
８１  支持側取付部
９  照明器具
【図１】
2020021574.tif 000003
【図２】
2020021574.tif 000004
【図３】
2020021574.tif 000005
【図４】
2020021574.tif 000006
【図５】
2020021574.tif 000007
【図６】
2020021574.tif 000008
【図７】
2020021574.tif 000009
【図８】
2020021574.tif 000010
【図９】
2020021574.tif 000011
【図１０】
2020021574.tif 000012
【図１１】
2020021574.tif 000013
【図１２】
2020021574.tif 000014
【図１３】
2020021574.tif 000015
【図１４】
2020021574.tif 000016
【図１５】
2020021574.tif 000017
【図１６】
2020021574.tif 000018